(57)【要約】【課題】重量のあるレンズ鏡胴を振れることなく強固に支持することができ、カメラの横撮影スタイルから縦撮影スタイルにセットし直しカメラ位置が横方向にずれてもレンズ支持アーム、水平スライドアームがカメラに接触することなく操作が可能で、同様にずれたレンズ鏡胴に対応して円柱サポートも移動させることにより確実な支持を実現したカメラホルダを提供する【解決手段】レンズホルダ１０はホルダ本体１、水平スライドアーム３、レンズ支持アーム２、段差付円柱サポート４、つまみ５により形成されるアーム固定機構、つまみ６により形成されるアーム固定機構およびカメラ取付けのためのつまみ７を含んで構成されている。レンズ支持アーム２は略垂直方向にレンズを支持できるため段差付円柱サポート４はレンズ鏡胴を確実に支持できる。【選択図】図１
2018005205.tif 000002
【特許請求の範囲】
【請求項１】
断面が矩形状であって少なくとも一側面に長孔を有するホルダ本体と、
長孔を有する水平スライドアームと、
一端に、断面が曲面形状のサポートを備え、長孔を有するレンズ支持アームと、
第１のつまみのネジ部と、水平スライドアームの回転を阻止する機能を持つ第１のネジ座金を有し、前記ホルダ本体の長孔と前記水平スライドアームの長孔に前記ネジ部を挿通し、前記ネジ座金を螺合することにより締め付け固定する第１のアーム固定機構と
第２のつまみのネジ部と、第２のネジ座金を有し、前記水平スライドアームの長孔と前記レンズ支持アームの長孔に前記第２のつまみのネジ部を挿通し、前記２のネジ座金を螺合することにより締め付け固定する第２のアーム固定機構と、
を備え、
前記第１のアーム固定機構で案内される前記水平スライドアームを略水平方向に伸ばし、前記第１のつまみで前記水平スライドアームを前記ホルダ本体に締付固定し、レンズの鏡胴の下部を前記サポートで支持する位置まで前記第１のアーム固定機構で案内される前記レンズ支持アームを上方に突出させ、前記第２のつまみで前記レンズ支持アームを水平スライドアームに締付固定することによりレンズを保持することを特徴とするレンズホルダ。
【請求項２】
前記ホルダ本体の一側面反対側の他側面にも長孔を有し、両側面の長孔のいずれかに水平スライドアームを取り付けることにより、右利きまたは左利きの人のレンズ支持操作を容易にしたことを特徴とする請求項１記載のレンズホルダ。
【請求項３】
水平スライドアームの回転を阻止する機能を持つ第１のネジ座金は、
その軸方向のネジの長さが、ホルダ本体の長孔の厚さより大であることを特徴とする請求項１または２記載のレンズホルダ。
【請求項４】
前記サポートは、段差付円柱形状であり、前記レンズ支持アームの端部に、直角方向に位置付けされ、左右にスライド可能であることを特徴とする請求項１、２または３記載のレンズホルダ。
【請求項５】
前記ホルダ本体はアルミ系金属を用いることを特徴とする請求項１、２、３または４記載のレンズホルダ。
【発明の詳細な説明】
【技術分野】
【０００１】  本発明は、カメラに装着された望遠レンズやズームレンズなどの交換レンズを支持することが可能なレンズホルダに関する。
【背景技術】
【０００２】  望遠レンズなどの交換レンズを装着したカメラを三脚にセットし撮影する場合、交換レンズ部分の重量が大きい場合、レンズ加重を受けレンズ振れを防止するレンズホルダが必要となる。
図７は本件出願人が提案しているカメラバランサ（レンズホルダ）の構成を示す図である（特許文献１）。
このカメラバランサを提案した動機は特許文献２および３が持つ問題を解決するためになしたものである。すなわち、前者は小型軽量であるが、重量のあるレンズでは対応できず、後者は任意の形状の望遠レンズを保持するのは制限があり、雲台への取り付け、望遠レンズ、カメラ本体の取り付けに手間がかかっていた。【０００３】  このカメラバランサはレンズ鏡胴とカメラ本体を同時に支持しつつ、しかもレンズ鏡胴が長い場合でもその長さに対応でき、重量が軽くて携行に嵩張らず、しかも三脚への装脱着が極めて容易でレンズ振れを確実に防止することにより特許文献２および３の問題解決を図ったものである。
図７において、カメラバランサ１１０はフレーム１０１，アーム１０６ａ，１０６ｂ，円柱形サポート１０７ａ，１０７ｂおよびロックレバー１０５ａ，１０５ｂによって構成されている。円柱形サポート１０７ａはカメラ本体を、円柱形サポート１０７ｂはレンズ鏡胴を同時に支持できるものである。フレーム１０１は、カメラ本体またはレンズを支持するためのホルダ部１１６の両端それぞれに垂直方向にフランジ１０３ａと１０３ｂが形成されている。【０００４】  フランジ１０３ａ，１０３ｂの形状は長方形状であり、中央に長孔１０４ａ，１０４ｂが形成されている。
図７（ｂ）において、アーム１０６ａ，１０６ｂは長方形状であり、フランジ１０３ａ，１０３ｂと略同様に中央にロックレバー案内孔１１７ａ，１１７ｂが形成されている。
アーム１０６ａ，１０６ｂの先端には支持ピン１０８ａ，１０８ｂが取り付けられており、支持ピン１０８ａ，１０８ｂに円柱形サポート１０７ａ，１０７ｂが固定されている。
フランジ１０３ａ，１０３ｂの長孔１０４ａ，１０４ｂとアーム１０６ａ，１０６ｂのロックレバー案内孔１１７ａ，１１７ｂを合わせてロックレバー１０５ａ，１０５ｂの軸を通しネジで螺合して締め付けることにより、フランジ１０３ａ，１０３ｂに対しアーム１０６ａ，１０６ｂを移動する位置と傾き角度を任意に選んで固定できる。この操作により、カメラを三脚に取り付けたときレンズを受ける支持位置を自由に選択することができる。
【先行技術文献】
【特許文献】
【０００５】
【特許文献１】特開２０１６−１０９８９３号公報
【特許文献２】特開２００９−２１７１７３号公報
【特許文献３】特開２０１０−２８２０３９号公報
【発明の概要】
【発明が解決しようとする課題】
【０００６】  ところで、アーム１０６ａ，１０６ｂはフランジ１０３ａ，１０３ｂの長孔１０４ａ，１０４ｂに対し斜め方向に延出して円柱形サポート１０７ａ，１０７ｂによりレンズ、カメラを支持する構造のためロックレバー１０５ａ，１０５ｂを強固に締め付けても円柱形サポート１０７ａ，１０７ｂ部分が下降する恐れがあった。
また、カメラを横撮影位置にセットした後、一旦カメラを外し、縦撮影位置にセットし直した場合、カメラ、レンズ位置が雲台に対し横方向にずれ斜め方向に延ばしたアーム１０６ａ，１０６ｂがカメラに当たる場合があった。【０００７】    さらに、横方向にずれたレンズの、円柱形サポート１０７ａ，１０７ｂに支持される位置が変わり、支持が安定しないと云う問題が発生する可能性があった。
本発明の目的は、重量のあるレンズ鏡胴を振れることなく強固に支持することができ、カメラの横撮影スタイルから縦撮影スタイルにセットし直しカメラ位置が横方向にずれてもレンズ支持アーム、水平スライドアームがカメラに接触することなく操作が可能で、同様にずれたレンズ鏡胴に対応して円柱サポートも移動させることにより確実な支持を実現できるカメラホルダを提供することにある。
【課題を解決するための手段】
【０００８】  前記目的を達成するために本発明による請求項１記載のレンズホルダは、断面が矩形状であって少なくとも一側面に長孔を有するホルダ本体と、長孔を有する水平スライドアームと、一端に、断面が曲面形状のサポートを備え、長孔を有するレンズ支持アームと、第１のつまみのネジ部と、水平スライドアームの回転を阻止する機能を持つ第１のネジ座金を有し、前記ホルダ本体の長孔と前記水平スライドアームの長孔に前記ネジ部を挿通し、前記ネジ座金を螺合することにより締め付け固定する第１のアーム固定機構と、第２のつまみのネジ部と、第２のネジ座金を有し、前記水平スライドアームの長孔と前記レンズ支持アームの長孔に前記第２のつまみのネジ部を挿通し、前記２のネジ座金を螺合することにより締め付け固定する第２のアーム固定機構とを備え、前記第１のアーム固定機構で案内される前記水平スライドアームを略水平方向に伸ばし、前記第１のつまみで前記水平スライドアームを前記ホルダ本体に締付固定し、レンズの鏡胴の下部を前記サポートで支持する位置まで前記第１のアーム固定機構で案内される前記レンズ支持アームを上方に突出させ、前記第２のつまみで前記レンズ支持アームを水平スライドアームに締付固定することによりレンズを保持することを特徴とする。
本発明による請求項２記載のレンズホルダは、請求項１または２記載のレンズホルダにおいて、前記ホルダ本体の一側面反対側の他側面にも長孔を有し、両側面の長孔のいずれかに水平スライドアームを取り付けることにより、右利きまたは左利きの人のレンズ支持操作を容易にしたことを特徴とする。
本発明による請求項３記載のレンズホルダは、請求項１または２記載のレンズホルダにおいて、水平スライドアームの回転を阻止する機能を持つ第１のネジ座金は、その軸方向のネジの長さが、ホルダ本体の長孔の厚さより大であることを特徴とする。
本発明による請求項４記載のレンズホルダは、請求項１、２または３記載のレンズホルダにおいて、前記サポートは、段差付円柱形状であり、前記レンズ支持アームの端部に、直角方向に位置付けされ、左右にスライド可能であることを特徴とする。
本発明による請求項５記載のレンズホルダは、請求項１，２、３または４記載のレンズホルダにおいて、前記ホルダ本体はアルミ系金属を用いることを特徴とする。
【発明の効果】
【０００９】  上記構成によれば、携行しやすく、重いレンズでもあってもアームは下降することなく確実に支持でき、操作性の良好なレンズホルダを実現できる。すなわち水平スライドアームは水平状態を維持した状態で延出でき、第１のつまみで締付固定しても水平スライドアームは回転することなく水平状態を維持でき、レンズ支持アームは略垂直方向に上昇させてレンズ支持アームの軸方向からレンズを支え、下降することのない延出された水平スライドアームで強固にレンズを支持できる。
また、カメラセット時、横方向にレンズが移動しても段差付円柱サポートが追従して移動し、段差付円柱サポートに対し動くことのないレンズ支持が可能となる。
【図面の簡単な説明】
【００１０】
【図１】  本発明によるレンズホルダの実施の形態を示す図で、（ａ）は平面図，（ｂ）は正面図をそれぞれ示している。
【図２】  図１のホルダ本体の構造を示す図で、（ａ）は底面図，（ｂ）は平面図，（ｃ），（ｄ）は（ｂ）の右側面図，左側面図をそれぞれ示している。
【図３】  図１のアームの構造を示す図で、（ａ）はレンズ支持アームを、（ｂ）は水平スライドアームをそれぞれ示している。
【図４】  図１のアーム固定構造を形成する各部品の構造を示す図で、（ａ）はネジ座金を、（ｂ）は回転防止ネジ座金を、（ｃ）はつまみを、（ｄ）はアーム固定機構Ａを、（ｅ）はアーム固定機構Ｂをそれぞれ示している。
【図５】  サポート構造を形成する各部品の構造を示す図で、（ａ）はサポート軸を、（ｂ）は段差付円柱サポートをそれぞれ示している。
【図６】  本発明によるレンズホルダの使用状態を説明するための図である。
【図７】  従来のカメラバランサの構成を示す図である。
【発明を実施するための形態】
【００１１】  以下、図面を参照して本発明の実施の形態を詳しく説明する。
図１は本発明によるレンズホルダの実施の形態を示す図で、（ａ）は平面図，（ｂ）は正面図をそれぞれ示している。
レンズホルダ１０はホルダ本体１、水平スライドアーム３、レンズ支持アーム２、段差付円柱サポート４、つまみ６により形成されるアーム固定機構Ａ、つまみ５により形成されるアーム固定機構Ｂおよびカメラ取付のためのつまみ７を含んで構成されている。段差付円柱サポート４はレンズ鏡胴の下点を支持するものである。
【００１２】  図５に段差付円柱サポート４とサポート軸１３の構造例を示す。
段差付円柱サポート４はプラスチック材の円柱形状であり、両端に段差部４を有する。円柱軸にサポート軸１３を挿通するための貫通孔４ｂを有する。サポート軸１３はサポートスライド部１３ｂとサポート制限部１３ａよりなり、サポートスライド部１３ｂの端部には段差付円柱サポート４の抜けを防止するための止めネジ２８を螺合する雌ネジ１３ｃを有し、サポート制限部１３の端部にはレンズ支持アーム２にサポート軸１３を固定するため軸止めネジ１７を螺合する雌ネジ１３ｄを有する。
段差付円柱サポート４はサポートスライド部１３ｂを左右にスライド可能である。レンズ鏡胴の下部は点線２５で示すように段差付円柱サポート４に支持され、段差付円柱サポート４上を横すべりすることはない。
【００１３】  図２にホルダ本体１の構造を示す。
ホルダ本体１は矩形形状のアルミ角パイプ材を切削して図２に示す形状にする。
軽量化を図るため、および雲台に取付け、望遠レンズを装着したカメラをセットするための操作性を確保するために肉抜き（肉抜部１ｈ，１ｉ）をしている。肉抜部１ｈのスペースはつまみ７でカメラを取付固定する場合に必要である。また、肉抜部１ｉはつまみ５でレンズ支持アームを固定する場合にホルダ本体１を掴むために必要なスペースである。
ホルダ本体１の上面にはカメラ取付用のつまみ７のネジ部７ａを挿通するカメラ止め孔１ｄが形成されている。カメラ止め孔１ｄの周囲にはコルク緩衝板１７が設けられている。接触するカメラ底部をキズなどが生じることなく確実に保持するためである。
【００１４】  ホルダ本体１の中央の上面には孔１ａを有し、その下面には雲台等固定枠１９が組み込まれている。雲台等固定枠１９には４個の雲台等固定雌ネジ１９ａが設けられている。
ホルダ本体１の右側面には長孔１ｃが設けられ、ピン１９（図１参照）を植設するためのピン孔１ｅが形成されている。ピン１９は水平スライドアーム３が水平を保つためにアーム３下部を受けるものである。同様にホルダ本体１の左側面にも長孔１ｂが設けられ、ピンを植設するためのピン孔１ｆが形成されている。左側面の長孔１ｂは後述するように左利きの人が操作しやすくするために設けたものである。
ホルダ本体１の板厚は例えば、３．０ｍｍで、十分な強度を確保している。
【００１５】  図３に水平スライドアーム３とレンズ支持アーム２の構造を示す。
水平スライドアーム３およびレンズ支持アーム２は長方形状であり、両アームにはつまみ６およびつまみ５案内用の長孔２ａ、３ａが形成されている。アームは例えばアルミ材で、板厚は５ｍｍのものが使用される。
図１において、水平スライドアーム３はホルダ本体１の右側面につまみ６よりなるアーム固定機構Ａによって取り付けられる。また、段差付円柱サポート４を取り付けたサポート軸１３はレンズ支持アーム２のサポート軸止め孔２ｂに固定され、レンズ支持アーム２はつまみ５よりなるアーム固定機構Ｂによって水平スライドアーム３に取り付けられる。
【００１６】  図４（ａ）（ｂ）（ｃ）に図１のアーム固定構造を形成する各部品の構造を示す。
ネジ座金１１は（ａ）に示すように、水平スライドアーム３の長孔３ａに嵌合し雌ネジ１１ｂを備える長孔嵌合部１１ａを有している。長孔嵌合部１１ａの長さｄ１は水平スライドアームの厚さより小さい。
回転防止ネジ座金１２は（ｂ）に示すように、ホルダ本体１の長孔１ｃを有する側壁および水平スライドアーム３の長孔３ａに嵌合し雌ネジ１２ｂを備える長孔嵌合部１２ａを有している。長孔嵌合部１２ａの長さｄ２はホルダ本体１の長孔１ｃを有する側壁の厚さより大きい。
（ｃ）記載のつまみ５，６は先端にＥリング嵌合部５ｂ，６ｂを持つネジ部５ａ，６ａを有している。また、つまみ７はカメラ固定用であり、ネジ部７ａを有している。
【００１７】  図４（ｄ）（ｅ）にアーム固定機構Ａおよびアーム固定機構Ｂの構造を示す。
アーム固定機構Ａとアーム固定機構Ｂは、回転防止ネジ座金１２またはネジ座金１１を用いたか否かの相違のみで他の組立構造は変わるところはない。回転防止ネジ座金１２を用いたアーム固定機構Ａはホルダ本体１に対し水平スライドアーム３を回転させることなく水平方向にスライドさせることができる。ネジ座金１１を用いたアーム固定機構Ｂは水平スライドアーム３に対しレンズ支持アーム２の回転は自由なため水平スライドアーム３に対し、レンズ支持アーム２は略直角にしてレンズ支持アーム２を固定することができる。このような略直角でレンズ支持アーム２の傾きを設定すると、レンズ重量がレンズ支持アーム２の軸方向に加わるため強固に保持することができる。
【００１８】  つぎに図４（ｅ）の組立手順の詳細を中心に説明する。
図４（ｅ）において、つまみ５のネジ部５ａに押さえワッシャ８を挿通させ、レンズ支持アーム２の長孔２ａと水平スライドアーム３の長孔３ａにネジ部５ａを挿入する。さらにネジ部５ａにネジ座金１１を挿入し、抜け防止リング２０を入れてＥリング２５を嵌合させる。この状態ではレンズ支持アーム２と水平スライドアーム３が離れないで、緩く結合しているだけである。レンズ支持操作時、水平スライドアーム３に対しレンズ支持アーム２を略垂直に立て、段差付円柱サポート４をレンズの下面に当てる位置にもたらし、つまみ５を締め付ける。このとき、レンズ支持アーム２が回転しないように手をそえる。
図４（ｄ）の回転防止ネジ座金１２を用いたアーム固定機構Ａでは長孔嵌合部１２ａが水平スライドアーム３の長孔３ａまで入り込むため、締め付けない状態でも水平スライドアーム３の長孔３ａの回転が阻止され、水平状態を維持した状態で繰り出すことができる。なお、繰り出し時に若干ガタがあるため、ホルダ本体１の側壁に植設したピン１９により下ブレを防止している。
【００１９】  図１において、ホルダ本体１の上面後部にはコルク緩衝板１７がカメラ止め孔１ｄの周囲に設けられている。コルク緩衝板１７の上にカメラの底部を置き、肉抜部１ｈのスペースに手を入れてカメラの底部の雌ネジにつまみ７のネジ部７ａを螺合させ締め付けることにより、カメラをレンズホルダにセットできる。
【００２０】    図６は、本発明によるレンズホルダの使用状態を説明するための図である。
三脚２３上部の雲台２２に本発明によるレンズホルダ１０が取り付けられている。レンズホルダ１０の上に望遠レンズ２１を装着したカメラ２４が図示しないつまみ７により固定されている。このままの状態では望遠レンズ２１の重みで望遠レンズ部分の先端部がかしがることになる。すなわち望遠レンズ部分の先端部が少し下降することになる。
そこで、本発明によるレンズホルダの水平スライドアーム３を水平方向に繰り出し、その先端部でレンズ支持アーム２を略垂直に上昇させて望遠レンズ先端部を図示しない段差付円柱サポート４で支持している。ピン１９で水平スライドアーム３の下部を受けることにより水平スライドアーム３の下ブレがないようにし、かつ、水平スライドアーム３に加わる重量の一部をピン１９が受ける構造にしているため、水平スライドアーム３は相当の加重にも耐えることが可能である。
【００２１】  以上の実施の形態は右利きの人用の構成であるが、左利き用にも同様な構成で実施できる。かかる場合は、図２（ｄ）に示すホルダ本体１の左側壁に有する長孔１ｂに水平スライドアームを組み込めば良い。取り付け操作は右利きの人用の構成と同じである。
【００２２】  以上の実施の形態においてホルダ本体の肉抜部１ｈ、１ｉの形状は、図２に示す通りであるが、手を入れることができる、ホルダ本体の内側を確認できる、軽量化を図ることができると云う趣旨でスペースを設けたものであるので、その機能を満たすならば、他の形状にしても良い。
段差付円柱サポートをプラスチック材とする実施の形態を示したが、レンズの鏡胴を受けるために適切な摩擦力を有し、かつ、カメラ底部などをキズつけない材質であれば、金属製やその他の材質であってもよい。
【産業上の利用可能性】
【００２３】  カメラ振れを防止するためのレンズホルダである。
【符号の説明】
【００２４】  １  ホルダ本体
２  レンズ支持アーム
３  水平スライドアーム
４  段差付円柱サポート
５、６、７  つまみ
８、９、１６  押さえワッシャ
１０  レンズホルダ
１１  ネジ座金
１２  回転防止ネジ座金
１３  サポート軸
１５、２５  Ｅリング
１７  軸止めネジ
１８  ワッシャ
１９  雲台等固定枠
２０  抜け防止リング
２１  望遠レンズ
２２  雲台
２３  三脚
２４  カメラ
２８  止めネジ
【図１】
2018005205.tif 000003
【図２】
2018005205.tif 000004
【図３】
2018005205.tif 000005
【図４】
2018005205.tif 000006
【図５】
2018005205.tif 000007
【図６】
2018005205.tif 000008
【図７】
2018005205.tif 000009